(57)【特許請求の範囲】
【請求項１】
吊下げ部と物品収納部とを連設した吊下げケースにおいて、前記吊下げ部は、物品収納部の側壁側縁に接続した第一吊下げ片と、該第一吊下げ片に重なり合う第二吊下げ片とからなり、第一吊下げ片及び第二吊下げ片の重合時の同一位置に挿入口を形成するための第一挿入口を前記第一吊下げ片に、同じく第二挿入口を前記第二吊下げ片にそれぞれ形成するとともに、前記第一挿入口及び第二挿入口の内周に係合作用を発揮する複数の係合片をそれぞれ突設し、前記両吊下げ片の重合時には、前記第一挿入口に突設した複数の係合片と前記第二挿入口に突設した複数の係合片は、先端同士が重なり合わないように突出し、これら複数の係合片は、弾性変形した状態で前記吊下げケースを装着保持させるものであることを特徴とする吊下げケース。
【発明の詳細な説明】
【０００１】
【発明の属する技術分野】
本発明は、吊下げケースに関し、詳しくは、吊下げ部と物品収納部とを連設した吊下げケースであって、特に、ボトルのネック部にケースを吊下げるのに適した吊下げ部を有する吊下げケースに関する。
【０００２】
【従来の技術】
従来から、店頭で商品を吊下げて展示販売したり、ボトルのネック部に景品を吊下げて展示したりすることが行われている。このような用途に使用するケース、すなわち吊下げケースは、商品（景品）を収納する物品収納部に、吊下げ用の通孔を有する吊下げ部を一体的に形成したものが用いられている。吊下げ部としては、物品収納部から１枚のシートを延出したものと、物品収納部から延出したシートを折り返して重ね合わせたものとがあり、また、通孔の形状も様々なものがある。
【０００３】
【発明が解決しようとする課題】
このような吊下げケースにおいて、ボトルのネック部に吊下げて使用するものでは、吊下げ部に比較的大きな径の通孔を形成する必要があり、また、抜けを防止するためには、ネック部と通孔とに適度な抵抗を持たせる必要がある。抜けを防止する手段としては、通孔部分に放射状の切込みを複数設けたり、通孔の内周に係合片を突出させたりすることが行われている。
【０００４】
このとき、２枚のシートを重ね合わせて吊下げ部を形成したものであっても、両シートに設ける通孔の形状、切込みや係合片の形状は、重ね合わせたときに同一となるように形成されているため、吊下げケースをボトルのネック部に装着する際にシート２枚分の剛性が作用することになるので、強い力で押込んだり、引抜いたりしなければならなかった。
【０００５】
そこで本発明は、２枚のシートを重ね合わせて吊下げ部を形成した吊下げケースにおいて、抜け防止等の機能を損なうことなく、ボトルのネック部等への着脱を容易に行うことができる吊下げケースを提供することを目的としている。
【０００６】
【課題を解決するための手段】
上記目的を達成するため、本発明の吊下げケースは、吊下げ部と物品収納部とを連設した吊下げケースにおいて、前記吊下げ部は、物品収納部の側壁側縁に接続した第一吊下げ片と、該第一吊下げ片に重なり合う第二吊下げ片とからなり、第一吊下げ片及び第二吊下げ片の重合時の同一位置に挿入口を形成するための第一挿入口を前記第一吊下げ片に、同じく第二挿入口を前記第二吊下げ片にそれぞれ形成するとともに、前記第一挿入口及び第二挿入口の内周に係合作用を発揮する複数の係合片をそれぞれ突設し、前記両吊下げ片の重合時には、前記第一挿入口に突設した複数の係合片と前記第二挿入口に突設した複数の係合片は、先端同士が重なり合わないように突出し、これら複数の係合片は、弾性変形した状態で前記吊下げケースを装着保持させるものであることを特徴としている。
【０００７】
【発明の実施の形態】
図１乃至図３は、本発明の吊下げケースの第１形態例を示すもので、図１は吊下げケースの展開図、図２は吊下げケースの斜視図、図３は吊下げケースをボトルのネック部に吊下げた状態を示す斜視図である。
【０００８】
この吊下げケースは、所定形状に打ち抜かれ、所定位置に折曲げ線を設けた一枚のプラスチックシート１を、前記折曲げ線に沿って所定方向に折曲げるとともに、糊代片を接着することによって箱状に組立てられるものである。前記プラスチックシート１には、前記折曲げ線２，２ａにより、物品収納部となる四角形断面の角筒状ケース本体１０を形成する４枚の側壁１１，１２，１３，１４と、吊下げ部２０を形成する２枚の第一、第二吊下げ片２１，３１と、糊代片１５と、該ケース本体１０の両端開口を閉塞する蓋部材である蓋板１６及び内蓋板１７，１８とが区画形成されている。
【０００９】
本形態例では、前記第一吊下げ片２１は、ケース本体１０を形成する側壁１４から折曲げ線を介さずに延設した状態となっており、前記第二吊下げ片３１は、第一吊下げ片２１の先端に折曲げ線２ａを介して延設されている。この第一吊下げ片２１と第二吊下げ片３１とは、前記折曲げ線２ａで折曲げて第二吊下げ片３１を折り返すことにより、第一吊下げ片２１と第二吊下げ片３１とが重なり合うように形成されている。
【００１０】
そして、第一吊下げ片２１及び第二吊下げ片３１には、重合時の同一位置に挿入口４０（図２，図３参照）を形成するための第一、第二挿入口２２，３２がそれぞれ形成されており、両挿入口２２，３２の内周には、挿入口４０内に挿入される挿入物、例えばボトルのネック部に先端が係合する係合片２３，３３が、第一挿入口２２には３個、第二挿入口３２には４個がそれぞれ設けられている。
【００１１】
前記両係合片２３，３３は、設置角度を４５度ずらして異なる位置に突出するように設けられている。すなわち、第一吊下げ片２１の係合片２３は、その中心線２３Ｃが第一吊下げ片２１の側縁や折曲げ線２ａと９０度で交わるように設定されており、第二吊下げ片３１の各係合片３３は、その中心線３３Ｃが第二吊下げ片３１の側縁や折曲げ線２ａと４５度で交わるように設定されている。したがって、図２に示すように、両吊下げ片２１，３１を重ね合わせたときの挿入口４０部分には、１枚のシートからなる計７個の係合片２３，３３が４５度間隔で、係合作用を発揮する係合片先端同士が互いに重なり合わないようにして突出した状態となる。
【００１２】
上記プラスチックシート１は、各側壁１１，１２，１３，１４を折曲げ線２により同一方向にそれぞれ直角に折曲げ、第二吊下げ片３１を折曲げ線２ａから側壁の折曲げ方向と同じ方向に折り返して第一吊下げ片２１に重ね合わせ、糊代片１５を折曲げ線２から逆方向に折曲げて側壁１１と接着することにより、図２に示す角筒状のケース本体１０と吊下げ部２０とを有する吊下げケースを組立てることができる。
【００１３】
そして、図３に示すように、ケース本体１０内に物品５０を挿入して蓋板１６，１７，１８をそれぞれ所定の順番で折曲げて両開口を閉塞し、吊下げ部２０の挿入口４０を利用してボトル５１のネック部５２にケースを装着する。
【００１４】
このとき、各係合片２３，３３がそれぞれ１枚のシートで形成されているので、２枚重ねの場合に比べてネック部５２への装着や取り外しを軽い力で容易に行うことができる。また、装着時には７個の係合片が弾性変形した状態で保持されるので、ケースがネック周りをむやみに回転したりすることがなく、ネック部５２からの抜けも防止できる。さらに、各吊下げ片２１，３１には、３個あるいは４個の係合片２３，３３をそれぞれ形成すればよいため、１枚のシートに７個の係合片を４５度間隔で形成する場合に比べて打抜き用金型を単純化することができ、金型コストの低減も図れる。
【００１５】
図４は、本発明の吊下げケースの第２形態例を示す展開図である。なお、以下の説明において、前記第１形態例の構成要素と同一の構成要素には同一の符号を付して詳細な説明は省略する。
【００１６】
本形態例に示す吊下げケースは、吊下げ部２０を形成する２枚の第一、第二吊下げ片２１，３１に、それぞれ４個ずつの係合片２３，３３を、９０度間隔で、かつ、４５度ずらして異なる位置に突設したものである。
【００１７】
したがって、両吊下げ片２１，３１を重ね合わせたときの挿入口部分には、１枚のシートからなる計８個の係合片２３，３３が４５度間隔で、かつ、係合作用を発揮する係合片先端同士が互いに重なり合わないようにして突出した状態となる。
【００１８】
図５は、本発明の吊下げケースの第３形態例を示す展開図である。本形態例に示す吊下げケースは、吊下げ部２０を形成する２枚の第一、第二吊下げ片２１，３１に、それぞれ６個ずつの係合片２３，３３を、６０度間隔で、かつ、３０度ずらして異なる位置に突設したものである。
【００１９】
したがって、両吊下げ片２１，３１を重ね合わせたときの挿入口部分には、１枚のシートからなる計１２個の係合片２３，３３が３０度間隔で、かつ、係合作用を発揮する係合片先端同士が互いに重なり合わないようにして突出した状態となる。
【００２０】
なお、係合片の形状等は、プラスチックシートの剛性、挿入口４０の大きさ、係合片２３，３３の設置数等の条件に応じて設定すればよい。また、物品収納部となるケース本体１０の形状は任意であり、収納する物品に応じた形状に形成すればよい。
【００２１】
【発明の効果】
以上説明したように、本発明の吊下げケースによれば、重ね合わせた２枚の吊下げ片に、異なる位置に係合片を設けた挿入口を形成したので、安定した装着状態、抜け防止等の機能を損なうことがなく、ボトルのネック部等への着脱を容易に行うことができ、また、金型コストの低減も図れる。
【図面の簡単な説明】
【図１】  本発明の吊下げケースの第１形態例を示す展開図である。
【図２】  同じく吊下げケースの斜視図である。
【図３】  同じく吊下げケースをボトルのネック部に吊下げた状態を示す斜視図である。
【図４】  本発明の吊下げケースの第２形態例を示す展開図である。
【図５】  本発明の吊下げケースの第３形態例を示す要部の展開図である。
【符号の説明】
１…プラスチックシート、２，２ａ…折曲げ線、１０…ケース本体、１１，１２，１３，１４…側壁、１５…糊代片、１６…蓋板、１７，１８…内蓋板、２０…吊下げ部、２１…第一吊下げ片、２２…第一挿入口、２３…係合片、２３Ｃ…中心線、３１…第二吊下げ片、３２…第二挿入口、３３…係合片、３３Ｃ…中心線、４０…挿入口、５０…物品、５１…ボトル、５２…ネック部
【図１】
0004041658.tif 000002
【図２】
0004041658.tif 000003
【図３】
0004041658.tif 000004
【図４】
0004041658.tif 000005
【図５】
0004041658.tif 000006